(57)【要約】【課題】  この考案は、地震などで扉が変形した場合にも、錠前を解錠して室内側から扉を手で確実に押して開けられるようにした錠前構造に関する。【解決手段】  扉枠に埋設されると共に表面が開口するボックスからなって、扉の施錠装置に進退可能に設けられたラッチボルトなどの錠杆を収納する受箱内に、該受箱の下部で横幅方向にローラを配置して回転可能に軸支しており、地震などによる扉や扉枠の変形時には前記錠杆の下面に前記ローラが衝合して錠杆を受箱から退出させうることを特徴とする。【選択図】  図４
0003114426.tif 000002
【実用新案登録請求の範囲】
【請求項１】
扉枠に埋設されると共に表面が開口するボックスからなって、扉の施錠装置に進退可能に設けられたラッチボルトなどの錠杆を収納する受箱内に、該受箱の下部で横幅方向にローラを配置して回転可能に軸支しており、
地震などによる扉や扉枠の変形時には前記錠杆の下面に前記ローラが衝合して錠杆を受箱から退出させうることを特徴とする錠前構造。
【請求項２】
扉枠に埋設されると共に表面が開口するボックスからなって、扉の施錠装置に進退可能に設けられたラッチボルトなどの錠杆を収納する受箱と、該受箱の開口を塞ぐと共に、錠杆の出没をガイドする貫通孔を備えたプレート状の受座とからなっており、
前記受箱内に、受座の貫通孔の下部で横幅方向にローラを配置して回転可能に軸支しており、
地震などによる扉や扉枠の変形時には前記錠杆の下面に前記ローラが衝合して錠杆を受箱から退出させうることを特徴とする施前構造。
【請求項３】
錠杆が、錠杆の先端側で下方の角部が湾曲状に面取りされており、ローラと接した際に移動しやすくなっていることを特徴とする請求項１または２に記載の錠前構造。
【請求項４】
ローラが、受箱の側壁面に回転可能に枢着されていることを特徴とする請求項１または２に記載の錠前構造。
【考案の詳細な説明】
【技術分野】
【０００１】
この考案は、建物の扉に取り付ける錠前構造に関するもので、特に地震などで扉が変形した場合にも、錠前を解錠して室内側から扉を手で確実に押して開けられるようにした錠前構造に関する。
【背景技術】
【０００２】
地震等の災害によつて扉が変形した際に、扉の非常開放を容易に行なえるようにするために、従来、実公昭５９−４０５２８号では、ドアが変形した際にラッチボルトを速やかに作動させるために、ラッチボルト受口のドアが開放する側に円弧状断面となる案内部材を設けた構造が知られている。
また、特開昭５６−７０３７６号では、ラッチボルトの受口の凹部に、低摩耗材料からなる板状またはスリーブ状の滑り部材を取付け、地震でドアが変形した際に、ラッチボルトを解錠可能とする構造が開示されている。
しかし、施錠時に、扉枠に設けた受箱内にラッチボルトの先端が突入する構造の場合に、地震でそれらが上下方向に変形すると、前者で案内部材は作用せずにラッチボルトと受箱の壁面とが衝合し合って施錠装置を解錠することができず、扉を開けることはできなくなる。
また、後者では、受箱の内周に沿って滑り部材が取り付けられており、受箱とラッチボルトの間に滑り部材が挟まれることになるが、変形が大きいと滑り部材は挟圧されてしまい、同様にラッチボルトを動かすことは困難である。
【特許文献１】実公昭５９−４０５２８号  第２図、第３図参照
【特許文献２】特開昭５６−７０３７６号  第１図参照
【考案の開示】
【考案が解決しようとする課題】
【０００３】
この考案は上記実情に鑑みてなされたもので、その主たる課題は、地震などで施錠装置や錠受部などの錠前構造が変形した場合にも、扉枠側に取り付けられる受箱に回転自在なローラを設けて、施錠された錠杆が受箱に押し付けられた状態であっても確実に錠杆を退動させて解錠することができる錠前構造を提供することにある。
【課題を解決するための手段】
【０００４】
上記課題を解決するために、請求項１の考案では、
扉枠に埋設されると共に表面が開口するボックスからなって、扉の施錠装置に進退可能に設けられたラッチボルトなどの錠杆を収納する受箱内に、該受箱の下部で横幅方向にローラを配置して回転可能に軸支しており、
地震などによる扉や扉枠の変形時には前記錠杆の下面に前記ローラが衝合して錠杆を受箱から退出させうることを特徴とする。
また、請求項２の考案では、
扉枠に埋設されると共に表面が開口するボックスからなって、扉の施錠装置に進退可能に設けられたラッチボルトなどの錠杆を収納する受箱と、該受箱の開口を塞ぐと共に、錠杆の出没をガイドする貫通孔を備えたプレート状の受座とからなっており、
前記受箱内に、受座の貫通孔の下部で横幅方向にローラを配置して回転可能に軸支しており、
地震などによる扉や扉枠の変形時には前記錠杆の下面に前記ローラが衝合して錠杆を受箱から退出させうることを特徴とする。
また、請求項３の考案では、
前記錠杆が、錠杆の先端側で下方の角部が湾曲状に面取りされており、ローラと接した際に移動しやすくなっていることを特徴とする。
更に、請求項４の考案では、
前記ローラが、受箱の側壁面に回転可能に枢着されていることを特徴とする。
【考案の効果】
【０００５】
この考案では、受箱内で、施錠時に突出している錠杆の下側にローラを設けることで、地震などで錠前構造が変形した場合にも、確実に錠杆を退動させて解錠することができるようにした錠前構造を提供することにある。
【考案を実施するための最良の形態】
【０００６】
以下に、この考案の錠前構造の好適実施例について図面を参照しながら説明する。  
施前構造は、扉２０に固定されて錠杆を出没自在に設けた施錠装置１０と、扉枠２１に固定されて施錠時の突出する錠杆Ｂを受ける錠受部１とからなっている。
【実施例１】
【０００７】
実施例１の施前構造では、図１に示すように施錠装置１０の錠杆Ｂが上下二段に設けられており、突出方向に向かって１面が扁平面となり他面が徐々に幅狭に湾曲する掛止用のラッチボルト１１と、角柱状からなるロック用のデッドボトル１３との公知構成からなっている。
一方、錠受部１は、扉枠２１に形成された凹部２２に嵌合した受箱２からなっている（図２参照）。
【０００８】
この受箱２は、図２および図３に示すように、表面側が開口したボックス状の本体２ａと、該本体２ａの表面側で上下に延出した一対の取付片２ｂとからなっており、該取付片２ｂにネジ止め用の穴２ｃが穿設されている。
この受箱２の下部に、その横幅方向にローラ８を配置しており、該ローラ８の両端が受箱２の両側板に枢着されている。
【０００９】
このローラ８は、図３（ｃ）に示すように、軸部８ａの基端に頭部８ｂが形成されており、軸部８ａの先端には環状溝８ｃが形成されている。
そして、受箱２の左右の側板に形成された軸受孔３にローラ８の軸部８ａを通し、先端の環状溝８ｃには抜止め用のリング（図示せず）を取り付けて、回転可能に枢着している。
【００１０】
上記構成からなっているので、図４（ａ）に示すように正常時には、錠杆、図示例ではラッチボルト１１とローラ８は接触せず、使用者はスムーズに錠杆を出没させることができる。
本実施例ではラッチボルト１１とローラ８とは通常は接触しない配置としたが、軽く接するようにしてもよい。
【００１１】
一方、地震等で扉２０と扉枠２１とが相対的に歪んで、錠杆が受箱２下方へ押し付けられた場合には、図４（ｂ）に示すように、ラッチボルト１１の底面がローラ８に押し付けられる。
しかし、ラッチボルト１１は、ローラ８と線接触するだけであるので、押付け力が働いていても退出方向に強く引っ張ることでラッチボルト１１をロック状態からロック解除方向へ退動させることができる。
【実施例２】
【００１２】
上記実施例１では受箱２をボックス状とした場合を例示したが、図５に示す錠前構造の実施例２のように受箱２の底面に断面円弧状の受部４を設けてローラ８の下面側を回転可能に支承する構成としてもよい。
上記ローラ８は、前記実施例と同様に受箱２の側壁面に回転可能に軸支される。
【００１３】
これにより、上から力が加わった場合でもローラ８は軸受個所だけでなく受部でも支承されるので、ローラ８の枢着構造を一層強固に支持することができる。
この場合も前記実施例と同様ローラ８が錠杆（ラッチボルト）の底面と衝合するので、地震などで変形しても同様に退動させることができる。
その他の構成は、前記実施例と同様であるので、その説明を省略する。
【実施例３】
【００１４】
図６に示す実施例３の施前構造では、前記実施例の錠杆としてのラッチボルト１１の先端下部角部１２を湾曲状に面取りした構成からなっている。
その他の構成は、前記実施例１または実施例２と同様であるので、その説明を省略する。
【００１５】
そして、この実施例によれば、ローラ８と接するラッチボルト１１の先端下部角部１２が湾曲面となっているので、ラッチボルト１１を退動させる際に、ローラ８との摩擦力が軽減され、より軽くラッチボルト１１を操作することができる。
【実施例４】
【００１６】
次に、図７に示す実施例４の施前構造では、受箱２に受座５を備えた異なる実施例を示す。
受座５は、前記受箱２の開口を塞ぐと共に、錠杆としてのラッチボルト１１やデッドボルト１３の出没をガイドする貫通孔６、７を備えたプレートからなっており、受箱２と一体にネジなどで共締めされて窓枠の端面に固定されている。
【００１７】
前記実施例１から３では、デッドボルト１３はラッチボルト１１の上方にあり、受箱２は全面が開口しているので、錠前構造が上下方向に変形してもデッドボルト１３の退動には支承がないが、前記受座５を設ける場合は、デッドボルト１３の下部が受座５の上部の貫通孔６の下枠部分と衝合し強く押し付けられるので、デッドボルト１３を退動させることができなくなる。
【００１８】
そこで、図７および図８（ａ）に示すように、受箱２内に、下部に設けたラッチボルト１１用のローラ８の他に、中段位置にデッドボルト１３用の補助ローラ９を回転自在に枢着している。
【００１９】
この補助ローラ９は、例えば、正常時には、デッドボルト１３とは接しないように、その位置を配置しておく。
この際に、補助ローラ９の上端は、上部の貫通孔６下枠と同一位置でもよいが、やや上方位置に配置することが好ましい。
【００２０】
これにより、正常時には、デッドボルト１３の進退の動作に際して補助ローラ９は接触しないので影響を与えることはない。
そして、図８（ｂ）に示すように、地震等による変形時には、デッドボルト１３の下端が上部の貫通孔６の下枠と補助ローラ９に押し付けられた状態になっても、補助ローラ９の回転によってデッドボルト１３を退動方向に動かすことができる。
また、ラッチボルト１１とローラ８との関係は、前記実施例１に準じるのでその説明を省略する。
【実施例５】
【００２１】
実施例５に示す施錠装置は、前記実施例４の施錠装置において、図９および図１０に示すように、錠杆となるラッチボルト１１とデッドボトル１３のそれぞれの先端下部角部１２、１４が湾曲状に面取りされている。
【００２２】
上記構成からなっているので、デッドボルト１３の先端下部角部１４と補助ローラ９との衝合力が軽減され、デッドボルト１３を確実に退動させることができる。
ラッチボルト１１とローラ８との衝合力も同様に軽減することができ、退動させることができる。
【００２３】
上記実施例では、ラッチボルト１１とデッドボトル１３のそれぞれの先端下部角部１２、１４を湾曲状に面取りした場合を例示したが、この考案では、デッドボルト１３の先端下部角部１４だけを湾曲状に面取りした構成であってもよい。
【００２４】
また、この考案の錠前装置はそのまま用いてもよいが、例えば特願２００５−１１７５８６のドアの耐震構造と組合せて用いれば、一層確実にドアを開くことができるようになる。
その他、要するにこの考案の要旨を変更しない範囲で種々設計変更しうること勿論である。
【図面の簡単な説明】
【００２５】
【図１】扉に設けた施錠装置の錠杆が突出した状態を示す斜視図である（実施例１）。
【図２】扉枠に受箱を取り付ける状態を示す斜視図である（実施例１）。
【図３】（ａ）は受箱の断面図、（ｂ）は受箱の正面図、（ｃ）はピンの正面図である（実施例１）。
【図４】（ａ）は正常時における受箱内に錠杆が突入した施錠時の断面図、（ｂ）は災害による変形時に錠杆がローラに押し付けられた状態の断面図である（実施例１）。
【図５】（ａ）はローラの受部を底面に設けた異なる実施例の受箱を示す断面図、（ｂ）は同正面図である（実施例２）。
【図６】錠杆の角部を湾曲面にして、ローラと接触しうるようにした異なる実施例を示す断面図である（実施例３）。
【図７】受箱と受座の組合せからなる錠受部の取付状態を示す斜視図である（実施例４）。
【図８】（ａ）正常時における受箱内に錠杆が突入した施錠時の断面図、（ｂ）は災害による変形時に錠杆がローラに押し付けられた状態の断面図である（実施例４）。
【図９】扉に設けた施錠装置の錠杆が突出した状態を示す斜視図である（実施例５）。
【図１０】災害による変形時に錠杆がローラに押し付けられた状態の断面図である（実施例５）。
【符号の説明】
【００２６】
１    錠受部
２    受箱
２ａ  本体
２ｂ  取付片
３    軸受孔
５    受座
６、７  貫通孔
８    ローラ
９    補助ローラ
１０    施錠装置
１１    ラッチボルト
１２    先端下部角部
１３    デッドボルト
１４    先端下部角部
２０    扉
２１    扉枠
２２    凹部
【図１】
0003114426.tif 000003
【図２】
0003114426.tif 000004
【図３】
0003114426.tif 000005
【図４】
0003114426.tif 000006
【図５】
0003114426.tif 000007
【図６】
0003114426.tif 000008
【図７】
0003114426.tif 000009
【図８】
0003114426.tif 000010
【図９】
0003114426.tif 000011
【図１０】
0003114426.tif 000012